(57)【要約】【課題】線材格子フェンスパネルを用いた線材格子フェンスを提供すること。【解決手段】３本以上の柱縦線材７をその上下方向に間隔をおいた多数の環状柱横線材８に接合してなる筒状支柱６と、上端が湾曲して下方に２本の縦線材が伸びる湾曲縦線材２を間隔をおいて複数配置し、リング状横線材３が上下方向に間隔をおいて配置されて前記湾曲縦線材２に接合されていると共に、最上段のリング状横線材３は、同じ形状のリング状横線材３が各湾曲縦線材２の前後両側に同じ高さ位置に配置されて前記湾曲縦線材２に接合された線材格子フェンスパネル１とを備え、隣り合う各線材格子フェンスパネル１における最上段のリング状横線材１３の側端の縦部分４ｂは、それぞれ前記筒状支柱６の前面側で隣り合うように配置され、その筒状支柱６の前面側で隣り合う最上段のリング状横線材３の側端の縦部分４ｂと、筒状支柱６とは、継手金物１３により接合されている。【選択図】図３
2012202035.tif 000002
【特許請求の範囲】
【請求項１】
３本以上の柱縦線材にその上下方向に間隔をおいた多数の環状柱横線材を接合してなる筒状支柱と、
上端が湾曲して下方に２本の縦線材が伸びる湾曲縦線材を間隔をおいて複数配置し、上下に間隔をおいて横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、
隣り合う各線材格子フェンスパネルは前記筒状支柱の各側面側にそれぞれ配置されると共に、隣り合う各線材格子フェンスパネルにおけるリング状横線材の側端の継手部は、前記筒状支柱内において間隔をおいて配置され、隣り合う前記各線材格子フェンスパネルにおける最上段のリング状横線材の継手部における横部分と、筒状支柱とは、継手金物により接合されていることを特徴とする線材格子フェンス。
【請求項２】
線材格子フェンスパネルにおける最上段の各リング状横線材の端部が、前記筒状支柱の上部の上下一対の環状柱横線材間における下側の環状柱横線材上に載置されていることを特徴とする請求項１に記載の線材格子フェンス。
【請求項３】
前記継手金物は、前後のリング状横線材における上部又は下部の各横線材部分を把持固定する部分と、筒状支柱側の環状柱横線材を嵌合係止する溝を有する係止部とを備えている継手金物とされていることを特徴とする請求項１又は２に記載の線材格子フェンス。
【請求項４】
前後のリング状横線材における上部の各横線材部分を把持固定する継手金物は、リング状横線材の上側に配置されて、筒状支柱側の上下一対の環状柱横線材における上側の環状柱横線材にその上側から嵌合係止され、また、前後のリング状横線材における下部の各横線材部分を把持固定する継手金物は、リング状横線材の下側に配置されて、前記筒状支柱側の上下一対の環状柱横線材における下側の環状柱横線材にその下側から嵌合係止されていることを特徴とする請求項３に記載の線材格子フェンス。
【請求項５】
短尺横線材が、湾曲縦線材の下部、又は下部と中間部に、接合されている線材格子フェンスパネルとされていることを特徴とする請求項１〜４のいずれか１項に記載の線材格子フェンス。
【発明の詳細な説明】
【技術分野】
【０００１】
本発明は、住宅の庭や公園等に設置されるフェンスに関する。
【背景技術】
【０００２】
フェンスとしては、フェンスパネルと支柱とが、それぞれ別体とされて、フェンスパネルを支柱に固定する形態の支柱別体型のフェンスが知られている（例えば、特許文献１、２参照）。
また、フェンスパネルの少なくとも一端側に支柱を一体に備えた支柱一体型フェンスパネルも知られている（例えば、特許文献３〜５参照）。
本発明は、前者の支柱別体型のフェンスに属する。
【０００３】
また、線材格子フェンスパネルの上端部を湾曲させて、線材格子フェンスパネルの上端部に、長手方向に連続した胴縁を形成するようにして線材格子フェンスパネルの剛性を高めるようにした形態のフェンス又はフェンスパネルも知られている（例えば、特許文献３〜５参照）。
また、線材格子フェンスパネルの上端部を湾曲させて胴縁を形成することなく、線材格子フェンスパネル自体の剛性を高めるために、横線材を縦線材の前後から挟みつけるようにした形態のフェンスパネルも知られている（例えば、特許文献６〜８参照）。
本発明は、後者の線材格子フェンスパネルの上端部を湾曲させて胴縁を形成しない形態の線材格子フェンスに属する。
【先行技術文献】
【特許文献】
【０００４】
【特許文献１】特開昭６４−３６８７７号公報
【特許文献２】実公平６−３８８９３号公報
【特許文献３】特開平１−２２３２２７５号公報
【特許文献４】特公平５−３９３９０号公報
【特許文献５】実公昭６２−４３０９３号公報
【特許文献６】実開昭５８−１９０６２号公報
【特許文献７】特公平２−５８０１５号公報
【特許文献８】特公平１−３７５４６号公報
【発明の概要】
【発明が解決しようとする課題】
【０００５】
線材格子フェンスパネルの上端部を湾曲させて胴縁を形成する形態、或は縦線材の表裏に横線材を挟み込む形態の前記従来の線材格子フェンスパネルでは、上端部に直線状の部分が形成されるため、小動物（例えば、猫、ハクビシン等）にとって歩行又は走行しやすい通路が形成されるため、小動物にとって歩行しやすい線材格子フェンスパネルとなっている。
【０００６】
また、線材格子フェンスパネルの上端部を湾曲して形成した胴縁を備えていると、運搬時において、線材格子フェンスパネルが嵩張るため、運搬効率が低下すると共に、線材格子フェンスパネルが高価になり、その結果、線材格子フェンスは経済的でなくなる。
【０００７】
さらに、線材格子フェンスパネルにおける縦線材の上端が突出していると、怪我をする恐れがあるから、怪我をする恐れのない、より安全な線材格子フェンスパネルを用いた線材格子フェンスが望まれる。
【０００８】
したがって、小動物にとって歩行しにくい線材格子フェンスパネルで、胴縁を必要としない形態の安価な線材格子フェンスパネルで、怪我をする恐れのない、より安全な線材格子フェンスパネルを用いた線材格子フェンスが望まれる。
【０００９】
さらに、線材格子フェンスパネルを、複数の縦線材と間隔をおいた横線材とを組み合わせた筒状支柱に、組み込む場合に、継手金具を用いて固定でき、筒状支柱に対し、その側面側に取り付ける形態を選択できる線材格子フェンスパネルであると、敷地境界に線材格子フェンスパネルの片面又は中心軸線を一致させて線材格子フェンスパネルを配置することができるようになるため、そのような、筒状支柱と線材格子フェンスパネルとを組み合わせた線材格子フェンスが望まれる。
【００１０】
また、支柱自体も複数の縦線材と間隔をおいた横線材とを組み合わせた筒状支柱とすると、線材格子フェンスパネルと筒状支柱とが、いずれも線材により形成されていることから、フェンスを安価にでき、しかも景観もよい線材格子フェンスとなる。
【００１１】
本発明は、前記の課題を解消することができる小動物にとって歩行しにくい線材格子フェンスパネルで、胴縁を必要としない形態の安価な線材格子フェンスパネルを用いた線材格子フェンスで、敷地境界に線材格子フェンスパネルを配置してこれを確実に支柱に取り付けることができる線材格子フェンスを提供することを目的とする。
【課題を解決するための手段】
【００１２】
第１発明の線材格子フェンスでは、３本以上の柱縦線材にその上下方向に間隔をおいた多数の環状柱横線材を接合してなる筒状支柱と、上端が湾曲して下方に２本の縦線材が伸びる湾曲縦線材を間隔をおいて複数配置し、上下に間隔をおいて横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、隣り合う各線材格子フェンスパネルは前記筒状支柱の各側面側にそれぞれ配置されると共に、隣り合う各線材格子フェンスパネルにおけるリング状横線材の側端の継手部は、前記筒状支柱内において間隔をおいて配置され、隣り合う前記各線材格子フェンスパネルにおける最上段のリング状横線材の継手部における横部分と、筒状支柱とは、継手金物により接合されていることを特徴とする。
【００１３】
また、第２発明では、第１発明の線材格子フェンスにおいて、線材格子フェンスパネルにおける最上段の各リング状横線材の端部が、前記筒状支柱の上部の上下一対の環状柱横線材間における下側の環状柱横線材上に載置されていることを特徴とする。
【００１４】
第３発明では、第１発明又は第２発明の線材格子フェンスにおいて、前記継手金物は、前後のリング状横線材における上部又は下部の各横線材部分を把持固定する部分と、筒状支柱側の環状柱横線材を嵌合係止する溝を有する係止部とを備えている継手金物とされていることを特徴とする。
【００１５】
第４発明では、第３発明の線材格子フェンスにおいて、前後のリング状横線材における上部の各横線材部分を把持固定する継手金物は、リング状横線材の上側に配置されて、筒状支柱側の上下一対の環状柱横線材における上側の環状柱横線材にその上側から嵌合係止され、また、前後のリング状横線材における下部の各横線材部分を把持固定する継手金物は、リング状横線材の下側に配置されて、前記筒状支柱側の上下一対の環状柱横線材における下側の環状柱横線材にその下側から嵌合係止されていることを特徴とする。
【００１６】
第５発明では、第１発明〜第４発明のいずれかに記載の線材格子フェンスにおいて、短尺横線材が、湾曲縦線材の下部、又は下部と中間部に、接合されている線材格子フェンスパネルとされていることを特徴とする。
【発明の効果】
【００１７】
第１発明によると、３本以上の柱縦線材をその上下方向に間隔をおいた多数の環状柱横線材に接合してなる筒状支柱と、上端が湾曲して下方に２本の縦線材が伸びる湾曲縦線材を間隔をおいて複数配置し、上下に間隔をおいて横線材部分を備えたリング状横線材が複数上下方向に間隔をおいて配置されて前記湾曲縦線材に接合されていると共に、最上段のリング状横線材は、同じ形状のリング状横線材が各湾曲縦線材の前後両側に同じ高さ位置に配置されて前記湾曲縦線材に接合された線材格子フェンスパネルとを備え、隣り合う各線材格子フェンスパネルは前記筒状支柱の各側面側にそれぞれ配置されると共に、隣り合う各線材格子フェンスパネルにおけるリング状横線材の側端の継手部は、前記筒状支柱内において間隔をおいて配置され、隣り合う前記各線材格子フェンスパネルにおける最上段のリング状横線材の継手部における横部分と、筒状支柱とは、継手金物により接合されているので、
上端が湾曲して下方に２本の縦線材が伸びる複数の湾曲縦線材を間隔をおいて用いているため、小動物にとって歩行しにくい線材格子フェンスであり、しかも、胴縁を必要としない形態の安価な線材格子フェンスパネルを用いた線材格子フェンスとすることができ、敷地境界に線材格子フェンスパネルの片面又は中心軸線を一致させて線材格子フェンスパネルを配置することができるため、敷地内におけるデッドスペースを少なくすることができる。また、継手金物を用いて、線材格子フェンスパネルにおける最上段のリング状横線材の継手部の横部分を容易に確実に筒状支柱に取り付けることができる等の効果が得られる。
また、筒状支柱内においても、フェンスパネルの網目を形成することができる。
【００１８】
第２発明によると、第１発明の線材格子フェンスにおいて、線材格子フェンスパネルにおける最上段の各リング状横線材の端部が、前記筒状支柱の上部の上下一対の環状柱横線材間における下側の環状柱横線材上に載置されているので、下側の環状柱横線材を利用して線材格子フェンスを所定の高さ位置に保持させた状態で配置して設置することができるため、フェンスパネルを正確な高さ位置に設置でき、また、フェンスパネルの端部を筒状支柱内に配置するため、筒状支柱の側面にフェンスパネルの湾曲縦線材を接近させて設置することができる等の効果が得られる。
【００１９】
第３発明によると、第１発明又は第２発明の線材格子フェンスにおいて、前記継手金物は、前後のリング状横線材における上部又は下部の各横線材部分を把持固定する部分と、筒状支柱側の環状柱横線材を嵌合係止する溝を有する係止部とを備えている継手金物とされているので、継手金物により前後のリング状横線材における各横線材部分を把持固定すると共に筒状支柱側の環状柱横線材を嵌合係止して、継手金物を介して、フェンスパネルと筒状支柱とを連結することができる等の効果が得られる。
【００２０】
第４発明によると、第３発明の線材格子フェンスにおいて、前後のリング状横線材における上部の各横線材部分を把持固定する継手金物は、リング状横線材の上側に配置されて、筒状支柱側の上下一対の環状柱横線材における上側の環状柱横線材にその上側から嵌合係止され、また、前後のリング状横線材における下部の各横線材部分を把持固定する継手金物は、リング状横線材の下側に配置されて、前記筒状支柱側の上下一対の環状柱横線材における下側の環状柱横線材にその下側から嵌合係止されているので、上下の継手金物により、線材格子フェンスパネルを筒状支柱に対して、上下方向及びフェンスパネル長手方向の横方向に拘束した状態で、筒状支柱に取り付けることができる等の効果が得られる。
【００２１】
第５発明によると、第１発明〜第４発明のいずれかに記載の線材格子フェンスにおいて、短尺横線材が、湾曲縦線材の下部、又は下部と中間部に、接合されている線材格子フェンスパネルとされているので、線材格子フェンスパネルの網目を小さくして、小動物の侵入を防止することができる等の効果が得られる。
【図面の簡単な説明】
【００２２】
【図１】（ａ）は本発明におけるフェンスに用いられる線材格子フェンスを示す正面図、（ｂ）は平面図である。
【図２】（ａ）は図１に示す線材格子フェンスの側面図、（ｂ）は本発明におけるフェンスに用いられる線材からなる筒状支柱を示す正面図、（ｃ）は（ｂ）の平面図である。
【図３】（ａ）は本発明のフェンスにおける筒状支柱と線材格子フェンスとの上部の取り付け部を示す正面図で、図６のＡ部を拡大して示す図であり、（ｂ）は（ａ）の横断平面図である。
【図４】（ａ）は本発明のフェンスにおける筒状支柱と線材格子フェンスとの下部の取り付け部を示す正面図で、図６のＢ部を拡大して示す図であり、（ｂ）は（ａ）の横断平面図である。
【図５】（ａ）は本発明のフェンスにおける筒状支柱と線材格子フェンスとの取り付け部を拡大して示す正面図、（ｂ）は（ａ）のａ−ａ線断面図である。
【図６】（ａ）は本発明の一実施形態のフェンスを示す一部切欠き正面図、（ｂ）は平面図である。
【図７】本発明のフェンスの他の形態を示す平面図である。
【図８】本発明のフェンスにおいて用いる継手金物の一形態を示す斜視図である。
【発明を実施するための形態】
【００２３】
次に、本発明を図示の実施形態に基づいて詳細に説明する。
【００２４】
まず、図１及び図２（ａ）を参照して、本発明において用いる線材格子フェンスパネル１の一実施形態について説明すると、上端が半円状（図示の場合）又は弧状或はコ字状等に湾曲した湾曲接続部２ａを介して、下方に平行に２本の縦線材２ｂが伸びる複数（図示の場合は多数）の湾曲縦線材２が横方向に間隔をおいて同じ高さで配置され、前記各湾曲縦線材２の片面側（前面側）に渡って、上下に間隔をおいた横線材部分４ａを備えたリング状横線材３が上下方向に間隔をおいて複数配置されて前記各湾曲縦線材２に溶接により接合されている。
また、少なくとも最上段の前面側のリング状横線材３の背面側には、各湾曲縦線材２を挟んで、後面側のリング状横線材３が前記各湾曲縦線材２に溶接により接合されて、剛性が高められている。
最上段の前後の前記各リング状横線材３は、湾曲縦線材２における上端から下方に離れた位置に設置されていることで、線材格子フェンスパネル１における上端が連続した水平部分を形成することなく、湾曲接続部２ａが間隔をおいて形成された不連続状態としていることから、小動物（猫等）が乗る場所をなくし、小動物の歩行及び走行を困難にしている。湾曲縦線材２の上端は、コ字状よりも弧状或は半円状、半円状よりも逆Ｖ字状とする方が、小動物（猫等）が乗る場所がなくなる分、好ましいが、図示のように半円状とする方が人にやさしい形状である。
【００２５】
図示の形態では、最下段の前面側のリング状横線材３の背面側には、各湾曲縦線材２を挟んで、後面側のリング状横線材３が前記各湾曲縦線材２に溶接により接合されて、剛性が高められ、胴縁を必要としない形態の安価な線材格子フェンスパネル１としている。
前記の各リング状横線材３は、その両側端は、端部側の湾曲縦線材２よりも、横方向に突出するように設けられて継手部４を形成している。
【００２６】
図示の実施形態では、前記の継手部４は、リング状横線材３における上下の横線材部分４ａ端部による水平な横部分４ａと、横部分４ａを接続する垂直な縦部分４ｂとを備えている。
【００２７】
突出した継手部４の形態としては、図示のように、コ字状でも、弧状又は半円状でもよいが、縦部分４ｂを備え、上下の横線材相互を接続してリング状としていればよい。前記の縦部分４ｂは垂直であるのが、隣り合う線材格子フェンスパネル１の縦部分４ｂ間の間隙が小さくなり、網目が小さくなるから望ましい。
【００２８】
各リング状横線材３内には、リング状横線材３の横長さ寸法よりも短い短尺横線材５が、両側端の湾曲縦線材２に渡って配置されて、各湾曲縦線材２に溶接により固定されて、短尺横線材５がリング状横線材３から横長さ方向に突出しないように設けられている。
【００２９】
上下に間隔をおいたリング状横線材３間には、各湾曲縦線材２の後面側において、前記短尺横線材５と同様な、短尺横線材５がリング状横線材３から横長さ方向に突出しないように設けられている。
【００３０】
前記のリング状横線材３における横線材部分と短尺横線材５とが、上下方向に等間隔をおいて密に配置されていることで、網目を小さくして、小動物の侵入を防止可能にされている。短尺横線材５は、湾曲縦線材２の下部、又は下部と中間部に、接合されている線材格子フェンスパネル１とされていると、網目を小さくして、小動物の侵入を確実に防止することができる。
【００３１】
前記各短尺横線材５がリング状横線材３から横長さ方向に突出しないように設けられていることで、短尺横線材５の端部により怪我をしないようにされている。特に、リング状横線材３に同面状に配置された短尺横線材５に接触する前に、リング状横線材３に接触するようになるため、怪我をする恐れが少なく安全性が向上している線材格子フェンスパネル１とされている。
【００３２】
なお、前記の湾曲縦線材２又はリング状横線材３或は短尺横線材５としては、例えば、丸鋼棒が用いられる。
【００３３】
次に、図２（ｂ）（ｃ）を参照して、本発明の線材格子フェンスに用いる筒状支柱６について説明する。
【００３４】
左右方向及び前後方向に間隔をおいて同じ高さ位置に配置された３本以上（図示の場合は、４本）の柱縦線材７に対して、各柱縦線材７を囲むように、前記各柱縦線材７の上下方向に間隔をおいて、長方形又は矩形環状等の環状柱横線材８を配置し、各柱縦線材７に環状柱横線材８を接合して、筒状鉄筋籠状の筒状支柱６が形成されている。
【００３５】
下端側の一つ又は複数の環状柱横線材８及び柱縦線材７の下端部は、基礎９に埋め込み固定され、下端側の一つ又は複数の環状柱横線材８は抜け出し防止用アンカー材として機能する。前記の環状柱横線材８及び柱縦線材７としては、丸鋼棒が用いられる。
【００３６】
上下間の各環状柱横線材８は、線材格子フェンスパネル１側におけるリング状横線材３及び短尺横線材５と高さ位置が異なるように設けられている。
【００３７】
最上段の環状柱横線材８とこれに間隔をおいて下側で隣接する下位の環状柱横線材８間の間隔を、リング状横線材３における端部の継手部４又は中間部の上下横線材間の高さ寸法よりも若干大きい寸法とされて、筒状支柱６の各側面（３側面以上の各側面）側における上下の環状柱横線材８間にリング状横線材３の端部の継手部４を配置可能にされている。このようにすることで、筒状支柱６の一つ以上の側面側から挿入配置して、筒状支柱６に対して対称に線材格子フェンスパネル１を配置したり、隣り合う各側面に直角に挿入配置したり、隣り合う線材格子フェンスパネル１の側端の継手部４相互を接近させて配置したりできるようにされている。
【００３８】
線材格子フェンスパネル１を筒状支柱６に取り付ける場合には、例えば、線材格子フェンスパネル１の上下部又は中間部におけるリング状横線材３の継手部４の一部を筒状支柱６内に配置した状態で固定することで、確実に筒状支柱６に線材格子フェンスパネル１を固定することができる。また、平面視で、筒状支柱６の中心軸線に対して、線材格子フェンスパネル１の中心軸線を合わせるようにして、線材格子フェンスパネル１を配置することができる。
【００３９】
（線材格子フェンスについて）
次に、前記の線材格子フェンスパネル１を線材筒状支柱６に継手金物を用いて取り付けて、フェンスを構築した形態について説明する。
【００４０】
図６に示すように、筒状支柱６は、横方向に間隔をおいて配置されて、各筒状支柱６の下端部が、地盤に構築されたコンクリート基礎又は中空部を有するコンクリートブロック積み基礎に充填されるモルタルにより埋め込み固定されて、基礎９に立設固定される。
【００４１】
図６における左右方向の中間で、上端部及び下端部をそれぞれ拡大して示す図３及び図４、又は一部を拡大して示す図５に示すように、線材格子フェンスパネル１は、その各リング状横線材３における継手部４が筒状支柱６内に挿入配置される。
【００４２】
前記のように、隣り合う各リング状横線材３における左右両端の継手部４を、筒状支柱６内にそれぞれ挿入配置するために、平面視の左右方向で、リング状横線材３における左右方向一方の継手部４の先端から左右方向他方の湾曲縦線材２の端部の縦線材２ｂ外側までの寸法Ｌ１（図１参照）が、間隔をおいて隣り合う筒状支柱６における環状柱横線材８間の距離Ｌ２（図６参照）より長くされている。
リング状横線材３における継手部４は湾曲縦線材２から側方に突出して接合されているため、線材格子フェンスパネル１における一側部の各継手部４のほぼ全体を一方の筒状支柱６内に挿入配置するように線材格子フェンスパネル１を一方にスライド移動させると、他側部の各継手部４を他方の筒状支柱６の側面に対向するように配置することができ、その状態で、他方の各継手部４を他方の筒状支柱６内に挿入するように、線材格子フェンスパネル１を他方にスライド移動させることで、線材格子フェンスパネル１を、筒状支柱６間に配置することができる。この場合に、筒状支柱６における環状柱横線材８上に、リング状横線材３における下側の横部分４ａを載置した状態でスライド移動することができるため、線材格子フェンスパネル１を容易に筒状支柱６間に配置し、筒状支柱６における環状柱横線材８上に載置することができる。
【００４３】
上端部及び下端部又は必要に応じ、中間部に位置するリング状横線材３における継手部４が筒状支柱６に継手金物１３を用いて取り付けられる。
なお、格子状フェンスパネル１側の各短尺横線材５と、筒状支柱６側の各環状柱横線材８とは、異なる高さ位置となるように設けられている。
図示の形態では、線材格子フェンスパネル１は、上端部及び下端部が継手金物を用いて取り付けられている。
【００４４】
図４（ｂ）に示すように、各筒状支柱６の各側面側における縦中心軸線（又は平面視の中心軸線）に対して、湾曲縦線材２の中心軸線が一致又は近接するように、各線材格子フェンスパネル１の継手部４が配置される。
【００４５】
また、線材格子フェンスパネル１における最上段の前後（正面側及び背面側）のリング状横線材３の継手部４と、最下段の前後のリング状横線材３の継手部４とが、それぞれ、上部の間隔をおいた上下一対の環状柱横線材８間、及び下部の上下一対の環状柱横線材８間における下側の環状柱横線材８上に載置されるように配置される。
【００４６】
そして、各前後のリング状横線材３の側端の各継手部４における上部の横部分４ａと、間隔をおいた上下一対の環状柱横線材８における上部の環状柱横線材８とは、継手金物１３により接合されている。また、各継手部４における下部の横部分４ａと、間隔をおいた上下一対の環状柱横線材８における下部の環状柱横線材８とは、反転配置された継手金物１３により接合されている。
【００４７】
前記の各継手金物１３は、前後のリング状横線材３の継手部４における横部分４ａを把持固定する部分を備えている。前記の把持固定する部分は、図示の形態では、継手金物１３における溝付き金具１０と座金１２とボルト１７及びナット１８とにより形成されている。
【００４８】
図８にボルト１７・ナット１８を省略して分解して示すように、両側部に脚部１４を有する断面溝形の溝付き金具１０にボルト挿通孔１５を設け、溝付き金具１０における脚部１４とこれらの接続板部分１１とにより形成される溝１６内に挿入可能な巾寸法とされた座金１２を備え、前記接続板部分１１のボルト挿通孔１５と座金１２に挿通されるボルト１７及びこれにねじ込まれるナット１８を備えることで、前記の把持固定する部分は、形成されている。前記接続板部分１１に雌ねじ孔を設けてボルトをねじ込むようにすれば、ナットを省略する形態とすることも可能である。
【００４９】
前記の接続板部分１１に、環状柱横線材８の線材部分を嵌合係止するため溝１９を備えた係止部２０が一体に連設されている。
【００５０】
環状柱横線材８の線材部分を嵌合係止する係止部２０の溝１９は、環状柱横線材８の線材の断面半径よりも深い溝深さとするとよく、係止部２０の溝側の内側面は先端に向かって溝が浅くなるように傾斜面２１とされていることで、溝付き金具１０の環状柱横線材８に対する嵌合係止を、傾斜面２１を利用して確実にガイドして、配置可能にしている。
【００５１】
図示の形態では、前記の溝付き金具１０と座金１２とボルト・ナット等を備えた継手金物１３とされている。環状柱横線材８の線材部分を把持するクランプ部を備えた継手金物としてもよい。
【００５２】
図示の実施形態では、前後のリング状横線材３における上部の各横線材部分を把持固定する継手金物は、リング状横線材３の上側に配置されて、筒状支柱６側の上下一対の環状柱横線材８における上側の環状柱横線材８にその上側から嵌合係止され、また、前後のリング状横線材３における下部の各横線材４ａ部分を把持固定する継手金物１３は、リング状横線材３の下側に配置されて、前記筒状支柱６側の上下一対の環状柱横線材８における下側の環状柱横線材８にその下側から嵌合係止されているので、上下の継手金物１３により、線材格子フェンスパネル１を筒状支柱６に対して、上下方向及びフェンスパネル長手方向の横方向に拘束した状態で、筒状支柱６に取り付けることができる
【００５３】
ここで、図８を参照して、前記の継手金物１３についてさらに説明すると、継手金物１３における前記の溝付き金具１０と係止部２０とは、一枚の鋼板が折り曲げ加工されて形成されている。溝付き金具１０における脚部１４間の寸法は、前後のリング状横線材３における継手部４の外側間の寸法よりも僅かに大きくされ、前後の継手部４間にボルト１７を挿通可能にするために、溝付き金具１０のほぼ中央部にボルト挿通孔１５を備えている。
【００５４】
また、前記の座金１２は、矩形状鋼板にボルト挿通孔が設けられた形態とされ、溝付き金具１０の内側面に近接するように座金１２の側面が配置されることで、座金１２の回り止めを図っている。また、座金１２により各継手部４の横線材４ａによる横部分４ａの下側を溝付き金具１０に向かって押圧するようにして、横部分４ａを把持固定するようにされている。
【００５５】
また、前記の係止部１２の左右方向の巾寸法が、筒状支柱６における前面側の左右方向に隣り合う柱縦線材７間の寸法よりも若干小さい寸法とされていることで、線材格子フェンスパネル１の横方向のずれを小さくしている。
【００５６】
前記実施形態では、筒状支柱６の側面側に、線材格子フェンスパネル１を継手金物１３により固定する形態を示したが、本発明において用いる筒状支柱６は、柱縦線材７が、前後方向及び左右方向に間隔をおいて配置されていることから、図７に示すように、筒状筒状支柱６の前面（又は背面）にも、側面側の線材格子フェンスパネル１と同じ高さ位置に、同様な前面（又は背面）の線材格子フェンスパネル１を配置して、継手金物１３により、前記と同様に筒状支柱６に取り付けることができる。
【００５７】
前記実施形態においては、筒状支柱６を、前後左右に間隔をおいた４本の柱縦線材７により形成した形態を示したが、３本又は５本以上の柱縦線材７を、前後左右方向に間隔をおいて配置して、三角形状の環状柱横線材又は５角形以上の多角形の環状柱横線材を上下方向に間隔をおいて溶接により固着して一体化した筒状支柱を用いるようにしてもよい。
【符号の説明】
【００５８】
１  線材格子フェンスパネル
２  湾曲縦線材
２ａ  湾曲接続部
２ｂ  縦線材
３  リング状横線材
４  継手部
４ａ  横部分
４ｂ  縦部分
５  短尺横線材
６  筒状支柱
７  柱縦線材
８  環状柱横線材
９  基礎
１０  溝付き金具
１１  接続板部分
１２  座金
１３  継手金物
１４  脚部
１５  ボルト挿通孔
１６  溝
１７  ボルト
１８  ナット
１９  溝
２０  係止部
２１  傾斜面
【図１】
2012202035.tif 000003
【図２】
2012202035.tif 000004
【図３】
2012202035.tif 000005
【図４】
2012202035.tif 000006
【図５】
2012202035.tif 000007
【図６】
2012202035.tif 000008
【図７】
2012202035.tif 000009
【図８】
2012202035.tif 000010